【手続補正書】
【提出日】平成20年7月10日(2008.7.10)
【手続補正１】
【補正対象書類名】明細書
【補正対象項目名】発明の名称
【補正方法】変更
【補正の内容】
【発明の名称】サーバコンピュータ、制御方法及びプログラム
【手続補正２】
【補正対象書類名】明細書
【補正対象項目名】特許請求の範囲
【補正方法】変更
【補正の内容】
【特許請求の範囲】
【請求項１】  ユーザ側コンピュータとインターネットを介してデータ通信を行うサーバコンピュータであって、
複数の部位を備えたキャラクタデータおよび表示制御プログラムを前記ユーザ側コンピュータへ送信する送信手段と、
前記複数の部位のそれぞれの動作が変化するように前記ユーザ側コンピュータにより前記表示制御プログラムにしたがって表示されたキャラクタデータの動作の活動量を計測する計測手段と、
前記計測された活動量に基づいて前記キャラクタデータの対価を計算する計算手段とを備えたことを特徴とするサーバコンピュータ。
【請求項２】  前記活動量は、前記動作した部位の数、前記動作を表示するために使用された表示コマ数、前記動作が行われた期間、及び前記動作の変化量のうち、少なくとも１つであることを特徴とする請求項１記載のサーバコンピュータ。
【請求項３】  前記キャラクタデータは口および手と対応する部位を備え、前記口が動作しないキャラクタデータが文字とともに表示されるモード、前記口が動作するキャラクタデータが音声の再生とともに表示されるモード、及び前記口および前記手が動作するキャラクタデータが表示されるモードを含む複数の動作モードで表示可能であることを特徴とする請求項１または２記載のサーバコンピュータ。
【請求項４】  ユーザ側コンピュータとインターネットを介してデータ通信を行うサーバコンピュータの制御方法であって、
複数の部位を備えたキャラクタデータおよび表示制御プログラムを前記ユーザ側コンピュータへ送信するステップと、
前記複数の部位のそれぞれの動作が変化するように前記ユーザ側コンピュータにより前記表示制御プログラムにしたがって表示されたキャラクタデータの動作の活動量を計測するステップと、
前記計測された活動量に基づいて前記キャラクタデータの対価を計算するステップとを備えたことを特徴とする制御方法。
【請求項５】  ユーザ側コンピュータとインターネットを介してデータ通信を行うサーバコンピュータの制御方法の各ステップをコンピュータに実行させるプログラムであって、
複数の部位を備えたキャラクタデータおよび表示制御プログラムを前記ユーザ側コンピュータへ送信するステップと、
前記複数の部位のそれぞれの動作が変化するように前記ユーザ側コンピュータにより前記表示制御プログラムにしたがって表示されたキャラクタデータの動作の活動量を計測するステップと、
前記計測された活動量に基づいて前記キャラクタデータの対価を計算するステップとをコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、例えば、コンピュータやＴＶゲームにおける仮想空間上のインタフェースエージェントやバーチャルキャラクタ等のキャラクタをユーザに提供するための装置或いはシステムに用いられる、サーバコンピュータ、制御方法及びプログラムに関するものである。
【手続補正４】
【補正対象書類名】明細書
【補正対象項目名】０００５
【補正方法】変更
【補正の内容】
【０００５】
【課題を解決するための手段】
斯かる目的下において、第１の発明は、ユーザ側コンピュータとインターネットを介してデータ通信を行うサーバコンピュータであって、複数の部位を備えたキャラクタデータおよび表示制御プログラムを前記ユーザ側コンピュータへ送信する送信手段と、前記複数の部位のそれぞれの動作が変化するように前記ユーザ側コンピュータにより前記表示制御プログラムにしたがって表示されたキャラクタデータの動作の活動量を計測する計測手段と、前記計測された活動量に基づいて前記キャラクタデータの対価を計算する計算手段とを備えたことを特徴とする。
【手続補正５】
【補正対象書類名】明細書
【補正対象項目名】０００６
【補正方法】変更
【補正の内容】
【０００６】
第２の発明は、上記第１の発明において、前記活動量は、前記動作した部位の数、前記動作を表示するために使用された表示コマ数、前記動作が行われた期間、及び前記動作の変化量のうち、少なくとも１つであることを特徴とする。
【手続補正６】
【補正対象書類名】明細書
【補正対象項目名】０００７
【補正方法】変更
【補正の内容】
【０００７】
第３の発明は、上記第１または第２の発明において、前記キャラクタデータは口および手と対応する部位を備え、前記口が動作しないキャラクタデータが文字とともに表示されるモード、前記口が動作するキャラクタデータが音声の再生とともに表示されるモード、及び前記口および前記手が動作するキャラクタデータが表示されるモードを含む複数の動作モードで表示されることを特徴とする。
【手続補正７】
【補正対象書類名】明細書
【補正対象項目名】０００８
【補正方法】変更
【補正の内容】
【０００８】
第４の発明は、ユーザ側コンピュータとインターネットを介してデータ通信を行うサーバコンピュータの制御方法であって、複数の部位を備えたキャラクタデータおよび表示制御プログラムを前記ユーザ側コンピュータへ送信するステップと、前記複数の部位のそれぞれの動作が変化するように前記ユーザ側コンピュータにより前記表示制御プログラムにしたがって表示されたキャラクタデータの動作の活動量を計測するステップと、前記計測された活動量に基づいて前記キャラクタデータの対価を計算するステップとを備えたことを特徴とする。
【手続補正８】
【補正対象書類名】明細書
【補正対象項目名】０００９
【補正方法】変更
【補正の内容】
【０００９】
第５の発明は、ユーザ側コンピュータとインターネットを介してデータ通信を行うサーバコンピュータの制御方法の各ステップをコンピュータに実行させるプログラムであって、複数の部位を備えたキャラクタデータおよび表示制御プログラムを前記ユーザ側コンピュータへ送信するステップと、前記複数の部位のそれぞれの動作が変化するように前記ユーザ側コンピュータにより前記表示制御プログラムにしたがって表示されたキャラクタデータの動作の活動量を計測するステップと、前記計測された活動量に基づいて前記キャラクタデータの対価を計算するステップとをコンピュータに実行させることを特徴とする。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】削除
【補正の内容】
【手続補正３９】
【補正対象書類名】明細書
【補正対象項目名】００４０
【補正方法】削除
【補正の内容】
【手続補正４０】
【補正対象書類名】明細書
【補正対象項目名】００４１
【補正方法】削除
【補正の内容】
【手続補正４１】
【補正対象書類名】明細書
【補正対象項目名】００４２
【補正方法】削除
【補正の内容】
【手続補正４２】
【補正対象書類名】明細書
【補正対象項目名】００４３
【補正方法】削除
【補正の内容】
【手続補正４３】
【補正対象書類名】明細書
【補正対象項目名】００４４
【補正方法】削除
【補正の内容】
【手続補正４４】
【補正対象書類名】明細書
【補正対象項目名】００４５
【補正方法】削除
【補正の内容】
【手続補正４５】
【補正対象書類名】明細書
【補正対象項目名】００４６
【補正方法】削除
【補正の内容】
【手続補正４６】
【補正対象書類名】明細書
【補正対象項目名】００４７
【補正方法】削除
【補正の内容】
【手続補正４７】
【補正対象書類名】明細書
【補正対象項目名】００４８
【補正方法】削除
【補正の内容】
【手続補正４８】
【補正対象書類名】明細書
【補正対象項目名】００４９
【補正方法】削除
【補正の内容】